(57)【要約】【課題】建物内のどの階床からでも優先運転サービスを受けることができるエレベーターシステム及び当該エレベーターシステムの制御方法を提供する。【解決手段】複数台のエレベーターを一括管理するエレベーターシステムであって、優先運転サービスの呼び登録が可能な端末装置と、端末装置からの優先運転サービスの呼び登録を受けて、複数台のエレベーターの中から選定した優先運転エレベーターを、優先運転サービスの利用者が乗車する階床へ移動させ、戸閉状態で待機させる制御部と、待機中の優先運転エレベーターに対して利用者が一定範囲内に近づいたことを検出する検出部とを備える。そして、制御部は、検出部の検出結果を受けて、優先運転エレベーターの利用者の行き先階への優先運転サービスを実行する。【選択図】  図１
2017178481.tif 000002
【特許請求の範囲】
【請求項１】
複数台のエレベーターを一括管理するエレベーターシステムであって、
優先運転サービスの呼び登録が可能な端末装置と、
前記端末装置からの前記優先運転サービスの呼び登録を受けて、前記複数台のエレベーターの中から選定した優先運転エレベーターを、前記優先運転サービスの利用者が乗車する階床へ移動させ、戸閉状態で待機させる制御部と、
待機中の前記優先運転エレベーターに対して前記利用者が一定範囲内に近づいたことを検出する検出部とを備え、
前記制御部は、前記検出部の検出結果を受けて、前記優先運転エレベーターの前記利用者の行き先階への前記優先運転サービスを実行する
ことを特徴とするエレベーターシステム。
【請求項２】
前記端末装置は、前記優先運転サービスを利用する階床情報を一定周期で繰り返して送信し、
前記制御部は、前記階床情報で指定される階床へ前記優先運転エレベーターを移動させる
ことを特徴とする請求項１に記載のエレベーターシステム。
【請求項３】
前記制御部は、前記利用者が前記階床情報で指定される階床と異なる階床への移動を検知したとき、その検知した新たな階床へ前記優先運転エレベーターを移動させ、戸閉状態で待機させる
ことを特徴とする請求項２に記載のエレベーターシステム。
【請求項４】
前記利用者が乗車する階床には、複数の電波送受信器が設置されており、
前記検出部は、前記複数の電波送受信器のうち、前記端末装置から最短距離にある電波送受信器の位置情報を基に、前記利用者が前記一定範囲内に近づいたことを検出する
ことを特徴とする請求項２に記載のエレベーターシステム。
【請求項５】
前記端末装置は、ＧＰＳ機能を備えており、
前記検出部は、前記ＧＰＳ機能による前記端末装置の現在位置の位置情報を基に、前記利用者が前記一定範囲内に近づいたことを検出する
ことを特徴とする請求項２に記載のエレベーターシステム。
【請求項６】
複数台のエレベーターを一括管理するエレベーターシステムの制御方法であって、
端末装置から優先運転サービスの呼び登録を行う一方、
前記端末装置からの前記優先運転サービスの呼び登録を受けて、前記複数台のエレベーターの中から選定した優先運転エレベーターを、前記優先運転サービスの利用者が乗車する階床へ移動させ、戸閉状態で待機させ、
待機中の前記優先運転エレベーターに対して前記利用者が一定範囲内に近づいたことを検出とき、前記優先運転エレベーターの前記利用者の行き先階への前記優先運転サービスを実行する
ことを特徴とするエレベーターシステムの制御方法。
【発明の詳細な説明】
【技術分野】
【０００１】
本発明は、エレベーターシステム及びエレベーターシステムの制御方法に関し、特に、複数台のエレベーターを一括管理するエレベーターシステム及び当該エレベーターシステムの制御方法に関する。
【背景技術】
【０００２】
複数台のエレベーターを一括管理するエレベーターシステムには、ＶＩＰ（Very Important Person：要人・重要人物）などの特別な利用者（顧客）に対する迅速なサービスを目的とした優先運転サービスが設けられている。この優先運転サービスは、建物内で複数台のエレベーターが稼働しているときに、優先運転サービスのための呼びが発生すると、複数台のエレベーターの中から特定あるいは任意のエレベーターを優先運転エレベーターとして選定し、一般の利用者の呼びに優先してサービスを提供するものである。
【０００３】
従来、優先運転サービスは、特定の階床に設けられた専用の呼びボタンの操作によって優先運転サービスの呼びが発生すると、平常運転サービスを中断し、優先運転サービスの呼びを一般利用者の呼びに優先するようにしていた（例えば、特許文献１参照）。
【０００４】
特許文献１には、「特定階において専用呼びが発生すると、最端階のホール呼びに応じたエレベーターが予約エレベーター選択手段によって特定階の予約エレベーターに選択される。」と記載されている。
【先行技術文献】
【特許文献】
【０００５】
【特許文献１】特開昭６３−２０８４８３公報
【発明の概要】
【発明が解決しようとする課題】
【０００６】
しかしながら、特許文献１に記載の従来技術では、利用者本人、秘書等の随行者、あるいは案内係が、特定の階床に設けられた優先運転の呼びボタンを操作しなければ、優先運転サービスを受けることができなかった。換言すれば、優先運転サービスを受けることができるのは、優先運転の呼びボタンが設置された特定の階床に限られ、建物内のどの階床からでも優先運転サービスを受けることができる、というものではなかった。
【０００７】
そこで、本発明は、建物内のどの階床からでも優先運転サービスを受けることができるエレベーターシステム及び当該エレベーターシステムの制御方法を提供することを目的とする。
【課題を解決するための手段】
【０００８】
上記課題を解決するために、例えば特許請求の範囲に記載の構成を採用する。
本願は、上記課題を解決する手段を複数含んでいるが、その一例を挙げるならば、
複数台のエレベーターを一括管理するエレベーターシステムに関する。そして、
優先運転サービスの呼び登録が可能な端末装置と、
端末装置からの優先運転サービスの呼び登録を受けて、複数台のエレベーターの中から選定した優先運転エレベーターを、優先運転サービスの利用者が乗車する階床へ移動させ、戸閉状態で待機させる制御部と、
待機中の優先運転エレベーターに対して利用者が一定範囲内に近づいたことを検出する検出部とを備え、
制御部は、検出部の検出結果を受けて、優先運転エレベーターの利用者の行き先階への優先運転サービスを実行する
ことを特徴とする。
【発明の効果】
【０００９】
本発明によれば、端末装置からの優先運転サービスの呼び登録によって、建物内のどの階床からでも優先運転サービスを受けることができる。
上記した以外の課題、構成および効果は、以下の実施形態の説明によって明らかにされる。
【図面の簡単な説明】
【００１０】
【図１】本発明の一実施形態に係るエレベーターシステムの構成の概略を示すシステム構成図の例である。
【図２】建物の各階床とエレベーターとの位置関係を模式的に示す図の例である。
【図３】ある階床のエレベーターホールの構成を模式的に示す図の例である。
【図４】群管理エレベーターが複数グループ存在する場合のエレベーターホールを示す平面図の例である。
【図５】優先運転サービスを提供する制御方法の処理の流れを示すフローチャートの例である。
【発明を実施するための形態】
【００１１】
以下、本発明を実施するための。形態（以下、「実施形態」と記述する）について図面を用いて詳細に説明する。本発明は実施形態に限定されるものではない。本明細書および図面において、同一の構成要素又は実質的に同一の機能を有する構成要素には同一の符号を付することとし、重複する説明は省略する。
【００１２】
＜本発明の一実施形態に係るエレベーター装置＞
本発明の一実施形態に係るエレベーターシステムは、建物内に設置された複数台のエレベーターを一括管理する群管理システムの構成を採るエレベーターシステムである。
【００１３】
［システム構成］
図１は、本発明の一実施形態に係るエレベーターシステムの構成の概略を示すシステム構成図の例である。また、図２は、建物の各階床とエレベーターとの位置関係を模式的に示す図の例であり、図３は、ある階床のエレベーターホールの構成を模式的に示す図の例である。
【００１４】
図１に示すように、本実施形態に係るエレベーターシステム１０は、エレベーター部１と、群管理制御装置２と、乗り場呼び登録装置３と、端末装置４とを備えるシステム構成となっている。
【００１５】
エレベーター部１は、ｎ台（ｎは２以上の整数）のエレベーター１１_1，１１_2，・・・，１１_nと、これらエレベーター１１_1，１１_2，・・・，１１_nを制御する号機制御部１２_1，１２_2，・・・，１２_nとを有している。ｎ台のエレベーター１１_1，１１_2，・・・，１１_n（１号機、２号機、・・・、ｎ号機）は、群管理制御装置２による制御の下に一括管理され、待ち時間等の観点から、利用者に最適なエレベーター（乗車号機）の割当てが、号機制御部１２_1，１２_2，・・・，１２_nを介して行われる。
【００１６】
エレベーター部１の各エレベーター１１_1，１１_2，・・・，１１_nは、例えば、昇降路内に設置された乗りかご１１１と釣合い錘１１２とが、主ロープ１１３の両端に結合された周知の構成となっている。そして、エレベーター１１_1，１１_2，・・・，１１_nにおいて、主ロープ１１３は、巻上機（図示せず）の綱車１１４やプーリ１１５に巻き掛けられている。
【００１７】
群管理制御装置２は、乗り場呼び登録装置３にて一般利用者（顧客）によって行き先階の呼び登録が行われると、待ち時間等の観点から、一般利用者に最適なエレベーターを割り当てるべく、ｎ台のエレベーター１１_1，１１_2，・・・，１１_nを一括管理する。具体的には、例えば、乗り場呼び登録装置３から呼び登録があると、ｎ台のエレベーター１１_1，１１_2，・・・，１１_nの中から、乗り場呼び登録装置３が設置されている階床に一番近い位置にいるエレベーターを選定し、一般利用者が待つ階床へ移動させる。この一般利用者に対するサービスを平常運転サービスとする。ここで、一般利用者とは、ＶＩＰなどの特別な利用者以外の利用者である。
【００１８】
群管理制御装置２は、平常運転サービスに加えて、ＶＩＰなどの特別な利用者に対する迅速なサービスを目的とした優先運転サービスを行う。具体的には、端末装置４にて優先運転サービスの呼び登録があると、当該呼び登録を受けて、ｎ台のエレベーター１１_1，１１_2，・・・，１１_nの中から、特定あるいは任意のエレベーターを優先運転エレベーターとして選定し、一般利用者の呼びに優先して、特別な利用者に対して優先運転サービスを提供する。以下、優先運転サービスを利用する特別な利用者を、便宜上、優先利用者と呼ぶこととする。
【００１９】
群管理制御装置２は、端末装置４からの呼び登録などの情報を無線で受信するために、図３に示すように、建物の各階床ごとにｍ個の電波送受信器５_1,５_2,・・・，５_mが所定の間隔で設置されている。電波送受信器５（５_1,５_2,・・・，５_m）としては、無線ＬＡＮルーター（ＷｉＦｉ電波送受信器）を例示することができるが、これに限られるものではない。群管理制御装置２には、ｍ個の電波送受信器５_1,５_2,・・・，５_mの個々の位置情報が登録されている。
【００２０】
ｍ個の電波送受信器５_1,５_2,・・・，５_mの個々の位置情報については、図３に示すように、エレベーターホールにおけるエレベーター乗降口６が並ぶ方向をＸ軸（横軸）とするとき、Ｘ軸上の位置情報Ｘ_1,Ｘ_2,・・・，Ｘ_mとして群管理制御装置２に登録される。また、階床別の電波送受信器５（５_1,５_2,・・・，５_m）の位置情報については、図２に示すように、Ｎ階の建物の高さ方向をＹ軸（縦軸）とするとき、Ｙ軸上の位置情報（階床情報）Ｙ_1,Ｙ_2,・・・，Ｙ_Nとして群管理制御装置２に登録される。
【００２１】
図２には、優先運転エレベーター１１_iが２階で待機している状態を示している。この優先運転エレベーター１１_iは、対応する号機制御部１２_iによる制御の下に、優先運転サービスを行う。
【００２２】
ここで、優先運転エレベーター１１_iとして選定する条件としては、例えば、待機中のエレベーターであること、優先利用者が乗車する階床に一番近い位置にいるエレベーターであることなどを例示することができる。また、待機中のエレベーターが存在しない場合には、ｎ台のエレベーター１１_1，１１_2，・・・，１１_nの中のいずれかが待機中になるまで待つことになる。ただし、ここで例示した選定条件は一例であって、これらの選定条件に限定されるものではない。
【００２３】
乗り場呼び登録装置３は、テンキーを含む操作部や表示部を備えており、エレベーターの乗り場に設置されている。この乗り場呼び登録装置３では、一般利用者による操作の下に、各利用者の少なくとも乗り階及び行き先階を含む利用情報の登録が行われる。一般利用者が、例えば、１階の乗り場に設置された乗り場呼び登録装置３において、行き先階として５階を登録した場合、１階が乗り階として、５階が行き先階として登録されたことになる。
【００２４】
端末装置４は、スマートフォンやＰＤＡ(Personal Digital Assistant)などの携帯端末であり、優先運転サービスを受けることができる優先利用者専用に指定された端末である。優先運転サービスを受けることができる前提として、優先利用者専用に指定された端末装置４には、建物内の電波送受信器５（５_1,５_2,・・・，５_m）を通じて操作できる群管理制御装置２が予め登録されることになる。そして、端末装置４は、建物内の電波送受信器５（５_1,５_2,・・・，５_m）を通じて、群管理制御装置２に対して優先運転サービスの呼び登録が可能な構成となっている。優先利用者には、ＶＩＰ以外にも身体障害者などを含めることもできる。
【００２５】
端末装置４は、優先運転サービスを利用する優先利用者が乗車する階床情報を一定周期（例えば、数秒間隔）で繰り返して送信する構成となっている。階床情報を一定周期で繰り返して送信することで、当該階床情報を電波送受信器５（５_1,５_2,・・・，５_m）を介して受信する群管理制御装置２は、端末装置４の現在位置を一定周期で監視することができる。これにより、端末装置４を所持する優先利用者が、階段などを利用して階床（乗り階）を変更した場合に、群管理制御装置２は、その変更後の新たな階床を把握することができる。
【００２６】
端末装置４については、ＧＰＳ(Global Positioning System：全地球測位システム)機能を持つ構成とすることが好ましい。この場合、群管理制御装置２は、ＧＰＳ受信機を備えることになる。端末装置４は、ＧＰＳ機能を持つことで、自身の現在位置の位置情報、即ち端末装置４を所持する優先利用者の現在位置の位置情報を送信し続けることができる。これにより、群管理制御装置２は、端末装置４の現在位置（即ち、端末装置４を所持する優先利用者の現在位置）を把握できることになる。
【００２７】
群管理制御装置２は、端末装置４からの優先運転サービスの呼び登録を、電波送受信器５_1,５_2,・・・，５_mを介して受信すると、エレベーター１１_1，１１_2，・・・，１１_nの中から、先述した選定条件の下、１台のエレベーターを優先運転エレベーター１１_iとして選定する。また、群管理制御装置２は、その選定した優先運転エレベーター１１_iを、優先利用者が乗車する階床へ直行させる。そして、群管理制御装置２は、優先利用者が乗車する階床へ直行させた優先運転エレベーター１１_iを、戸閉状態で優先利用者が到着するまで待機させる。
【００２８】
すなわち、群管理制御装置２は、優先運転サービスの呼び登録を受けて、エレベーター１１_1，１１_2，・・・，１１_nの中から選定した優先運転エレベーター１１_iを、優先運転サービスを利用する優先利用者が乗車する階床へ直行移動させ、戸閉状態で待機させる制御部としての機能を持っている。群管理制御装置２は、優先利用者が乗車する乗り階で優先運転エレベーター１１_iを戸閉状態で待機させたら、当該優先運転エレベーター１１_iを一括管理モードから切り離す。以降の優先運転サービスに関しては、優先運転エレベーター１１_iの号機制御部１２_iによる単独運転モードとなる。
【００２９】
優先運転エレベーター１１_iの待機中は、図３に示すように、例えばエレベーター乗降口６の上に設けられた使用状況表示器７に、「エレベーターの使用不可」あるいは「優先運転待機中」などのメッセージを表示するようにすることが好ましい。これにより、一般利用者に、待機中の優先運転エレベーター１１_iが使用不可であることを告知できるために、使用できないことに伴う一般利用者のイライラ感を緩和できる。
【００３０】
一方、建物の各階床ごとに所定の間隔で設置されたｍ個の電波送受信器５_1,５_2,・・・，５_mは、端末装置４から一定周期で繰り返して送信される階床情報を受信する。ここで、端末装置４から一定周期で送信される階床情報を受信できる電波送受信器５は、ｍ個の電波送受信器５_1,５_2,・・・，５_mのうち、端末装置４の現在位置に対して最短距離に存在する電波送受信器となる。
【００３１】
先述したように、ｍ個の電波送受信器５_1,５_2,・・・，５_mの個々の位置情報については、エレベーターホールにおけるエレベーター乗降口６が並ぶ方向をＸ軸とするとき、Ｘ軸上の位置情報Ｘ_1,Ｘ_2,・・・，Ｘ_mとして群管理制御装置２に登録されている（図３参照）。したがって、群管理制御装置２に登録されている電波送受信器５_1,５_2,・・・，５_mの個々の位置情報Ｘ_1,Ｘ_2,・・・，Ｘ_mから、優先運転サービスを利用する優先利用者の現在位置（端末装置４の現在位置でもある）を知ることができる。
【００３２】
なお、ここでは、電波送受信器５_1,５_2,・・・，５_mの個々の位置情報について、Ｘ軸上の位置情報Ｘ_1,Ｘ_2,・・・，Ｘ_mとして群管理制御装置２に登録するとしたが、これに限られるものではない。例えば、電波送受信器５_1,５_2,・・・，５_mのうち、優先利用者の現在位置に対して最短距離に存在する電波送受信器が、自らの位置情報Ｘ_1,Ｘ_2,・・・，Ｘ_mを群管理制御装置２に送信するようにしてもよい。
【００３３】
群管理制御装置２に登録されている電波送受信器５_1,５_2,・・・，５_mの個々の位置情報Ｘ_1,Ｘ_2,・・・，Ｘ_m及びｍ個の電波送受信器５_1,５_2,・・・，５_mの受信状況情報は、群管理制御装置２から、戸閉状態で待機中の優先運転エレベーター１１_iの号機制御部１２_iに与えられる。優先運転エレベーター１１_iの号機制御部１２_iは、群管理制御装置２から与えられる電波送受信器５_1,５_2,・・・，５_mの受信状況情報を基に、優先利用者の現在位置を検出することができる。
【００３４】
また、号機制御部１２_iは、優先運転エレベーター１１_iの待機中も、数秒間隔で群管理制御装置２から与えられる電波送受信器５_1,５_2,・・・，５_mの受信状況情報を基に、優先利用者の現在位置階床（図２のＹ軸上の位置）に変化がないかを確認する。そして、号機制御部１２_iは、優先利用者が階段を利用するなどによって現在位置階床が変化した場合には、優先運転エレベーター１１_iを変化した新たな階床へ移動させ、戸閉状態で待機させる。
【００３５】
このように、端末装置４と、電波送受信器５_1,５_2,・・・，５_mと、号機制御部１２_1，１２_2，・・・，１２_nとの間では、「優先運転エレベーター１１_iの待機中の階床」と「端末装置４の現在位置」とが一致しているか、数秒間隔で現在位置が変化するかの確認のために情報の送受信が行われる。
【００３６】
号機制御部１２_iは、エレベーター１１_1，１１_2，・・・，１１_nの中から選定され、優先利用者の乗り階で待機中の優先運転エレベーター１１_iに対して優先利用者が一定範囲内（一定距離以内）に近づいたことを検出する検出部としての機能を持っている。エレベーター部１の他の号機制御部１２_1，１２_2，・・・，１２_nも同様である。
【００３７】
優先利用者が一定範囲内に近づいた否かは、群管理制御装置２から与えられる電波送受信器５_1,５_2,・・・，５_mの個々の位置情報Ｘ_1,Ｘ_2,・・・，Ｘ_mを基に判断することができる。なお、ここでは、優先利用者が一定範囲内に近づいた否かを、電波送受信器５_1,５_2,・・・，５_mの個々の位置情報Ｘ_1,Ｘ_2,・・・，Ｘ_mを基に判断するとしたが、これに限られるものではない。例えば、端末装置４がＧＰＳ機能を搭載している場合は、ＧＰＳ機能による端末装置４の現在位置の位置情報を基に、優先利用者が一定範囲内に近づいた否かを判断することができる。
【００３８】
号機制御部１２_iは、戸閉状態で待機中の優先運転エレベーター１１_iに対して優先利用者が一定範囲内に近づいたことを検出すると、優先運転エレベーター１１_iを戸開状態とする。優先運転エレベーター１１_iの戸が開くと、優先利用者や随行者は、優先運転エレベーター１１_iに乗り込み、行き先階を登録する。
【００３９】
行き先階の登録を受けて、号機制御部１２_iは、優先運転エレベーター１１_iを戸閉状態とし、優先利用者に対する優先運転サービスを実行する、即ち、優先運転エレベーター１１_iを途中階に停止させずに、行き先階へ直行運転とする。そして、行き先階に到着したら、号機制御部１２_iは、優先運転エレベーター１１_iの戸を開け、優先利用者や随行者を降車させ、優先運転サービスを終了する。
【００４０】
号機制御部１２_iは、優先運転サービスを終了すると、その旨を群管理制御装置２に通知する。この通知を受けて、群管理制御装置２は、号機制御部１２_iによる単独運転モードから、一括管理サービスによる平常運転モードへ戻す。このように、本実施形態に係るエレベーターシステム１０にあっては、一括管理サービスによる平常運転モードの制御を群管理制御装置２が担い、優先運転エレベーター１１_iの優先運転サービスの制御を号機制御部１２_1,１２_2,・・・，１２_i,・・・，１２_nが担う構成となっている。
【００４１】
なお、図３では、群管理エレベーターの配置について、Ｘ軸方向に１グループ並ぶ例を示したが、これは一例であって、大きな建物の場合は、群管理エレベーターが複数グループ存在する場合がある。図４は、群管理エレベーターが複数グループ存在する場合のエレベーターホールを示す平面図の例である。
【００４２】
図４に示すように、大きな建物の場合には、群管理エレベーター（ＥＶ）が複数グループ存在する。図４では、ＥＶグループ１〜ＥＶグループ３の３グループ存在する場合を例示している。このように、群管理エレベーターが複数グループ存在する場合には、優先運転サービスについて、例えば、以下のような制御を行うことになる。
【００４３】
端末装置４の操作によって優先運転サービスの呼び登録が発生した場合、端末装置４から最短距離にあるグループの群管理エレベーターの中から１台のエレベーターを優先運転エレベーターとして割り当て、優先利用者が乗車する階床に直行させ、戸閉状態で待機させる。その後、端末装置４が別のグループの群管理エレベーターに近づいた場合は、現状待機中の優先運転エレベーターについては待機を解除する。そして、新たに端末装置４から最短距離となった群管理エレベーターのグループの１台のエレベーターを新たな優先運転エレベーターとして割り当て、優先利用者が乗車する新たな階床に直行させ、戸閉状態で待機させる。
【００４４】
［優先運転サービスを提供する制御方法］
次に、本実施形態に係るエレベーターシステム１０における優先運転サービスを提供する制御方法について、図５のフローチャートに沿って説明する。図５は、優先運転サービスを提供する制御方法の処理の流れを示すフローチャートの例である。図５のフローチャートでは、優先運転サービスの呼び登録から優先運転サービスの終了までの一連の流れを示している。
【００４５】
優先運転サービスの提供にあたっては、先ず、建物内に入った優先利用者または秘書などの随行者による操作の下に、優先利用者専用に指定された端末装置４にて、優先運転サービスの呼び登録が行われる（ステップＳ１１）。すると、建物内に設置されている無線ＬＡＮルーターなどの電波送受信器５のうち、端末装置４が存在する階床の電波送受信器５が端末装置４の存在を検知し、端末装置４が存在する階床情報、即ち図２のＹ軸（縦軸）上の位置情報を群管理制御装置２に対して送信する（ステップＳ１２）。
【００４６】
群管理制御装置２は、電波送受信器５から階床情報を受信すると、群管理エレベーター（ｎ台のエレベーター１１_1，１１_2，・・・，１１_n）の中から１台のエレベーターを優先運転エレベーター１１_iとして割り当てる（ステップＳ１３）。そして、群管理制御装置２は、割り当てた優先運転エレベーター１１_iを端末装置４が存在する階床、即ち優先運転サービスの提供を受ける優先利用者が乗車する階床へ直行させ、当該階床で戸閉状態で待機させる（ステップＳ１４）。
【００４７】
ここでは、端末装置４にて優先運転サービスの呼び登録を行ったときの階床情報を電波送受信器５から得て、端末装置４が位置する現在位置階床を把握するようにしているが、これに限られるものではない。例えば、端末装置４からは、優先運転サービスを利用する階床位置情報が一定周期（例えば、数秒間隔）で送信されていることから、端末装置４から送信される階床位置を基に、端末装置４が位置する現在位置階床を把握するようにしてもよい。
【００４８】
次に、群管理制御装置２は、端末装置４が存在する現在位置階床が変化したか否かを判断し（ステップＳ１５）、端末装置４の現在位置階床が変化したのであれば（Ｓ１５のＹＥＳ）、ステップＳ１４に戻り、新たな階床へ優先運転エレベーター１１_iを移動させ、戸閉状態で待機させる。端末装置４が存在する現在位置階床が変化したか否かは、建物の各階床に設けられた無線ＬＡＮルーターなどの電波送受信器５かの階床情報に基づいて判断することができる。端末装置４が存在する現在位置階床の変化としては、例えば、優先利用者が階段を利用して上下の階床に移動する場合などが考えられる。
【００４９】
群管理制御装置２は、端末装置４の現在位置階床に変化がなければ（Ｓ１５のＮＯ）、優先運転エレベーター１１_iを一括管理サービスから切り離し、群管理制御装置２による平常運転モードから号機制御部１２_iによる単独運転モードに切り替える（ステップＳ１６）。ただし、単独運転モード中でも、群管理制御装置２と号機制御部１２_iとの間での情報の送受信は行われる。
【００５０】
単独運転モードに切り替わると、号機制御部１２_iは、優先運転エレベーター１１_iが待機中の階床に設置されている電波送受信器５_1,５_2,・・・，５_m（図３参照）のうち、端末装置４に対して最短距離の電波送受信器の位置情報を基に、優先利用者の現在位置を検出する（ステップＳ１７）。次いで、号機制御部１２_iは、待機中の優先運転エレベーター１１_iに対して優先利用者が一定範囲内に近づいたか否かを判断し（ステップＳ１８）、一定範囲内でなければ（Ｓ１８のＮＯ）、ステップＳ１７に戻る。
【００５１】
優先利用者が一定範囲内に近づいたのであれば（Ｓ１８のＹＥＳ）、号機制御部１２_iは、優先運転エレベーター１１_iの戸を開け（ステップＳ１９）、優先運転サービスに入る（ステップＳ２０）。優先運転サービスでは、優先運転エレベーター１１_iの乗り込んだ優先利用者または秘書などの随行者によって行き先階が登録されると、途中階に停止させずに、行き先階へ直行させる運転となる。そして、行き先階で優先利用者や随行者が降車した時点で優先運転サービスとなる。
【００５２】
号機制御部１２_iは、優先運転サービスの運転が終了した否かを判断し（ステップＳ２１）、終了したと判断するまで、優先運転サービスを継続する（Ｓ２１のＮＯ）。そして、優先運転サービスの運転が終了したと判断すると（Ｓ２１のＹＥＳ）、号機制御部１２_iは、群管理制御装置２に対して優先運転サービスの運転が終了した旨を通知する（ステップＳ２２）。
【００５３】
号機制御部１２_iからの優先運転サービスの運転終了の通知を受けて、群管理制御装置２は、優先運転サービスの単独運転モードから、一括管理サービスによる平常運転モードへ戻す。以上により、ＶＩＰなどの特別な利用者である優先利用者（身体障害者を含む場合もある）に対して提供する優先運転サービスのための一連の処理が終了する。
【００５４】
上述した優先運転サービスを提供するための一連の処理によれば、優先利用者専用に指定された端末装置４を所持する優先利用者が建物内のどの階床に移動しても、その階床から優先運転サービスを利用することができる。また、端末装置４から優先運転サービスの呼び登録した後、優先利用者が突然階段を利用して上下の階床に移動した後でも、待機中の優先運転エレベーターは自動的に、優先利用者が移動した新たな階床に向かい、戸閉状態で待機する。
【００５５】
したがって、本実施形態に係るエレベーターシステム１０によれば、エレベーターホールで秘書等のサービス担当者が優先運転の呼びボタンを押すという作業が不要になる。これにより、建物内に優先運転ボタンが１箇所のみ設置されて、その階床でのみ優先運転の操作を行う場合と比較すると、優先利用者は建物内のどの階床からでも優先運転サービスを利用ができるため、効率的な優先運転サービスを提供することができる。
【００５６】
なお、本発明は上記した実施形態に限定されるものではなく、様々な変形例を含む。例えば、上記した実施形態は本発明を分かりやすく説明するために詳細したものであり、必ずしも全ての構成を備えるものに限定されるものではない。また、上記した実施形態の構成の一部について、他の構成の追加・削除・置換をすることが可能である。
【００５７】
例えば、上記した実施形態では、一括管理サービスによる平常運転モードの制御を群管理制御装置２が担い、優先運転エレベーター１１_iの優先運転サービスの制御を号機制御部１２_1,１２_2,・・・，１２_nが担う構成としたが、これに限られるものではない。具体的には、一括管理サービスによる平常運転モードの制御のみならず、優先運転エレベーター１１_iの優先運転サービスの制御についても、群管理制御装置２が一括して行うようにしてもよい。
【符号の説明】
【００５８】
１…エレベーター部、  ２…群管理制御装置、  ３…乗り場呼び登録装置、  ４…端末装置、  ５（５_1,５_2,・・・，５_m）…電波送受信器（無線ＬＡＮルーター）、  ６…エレベーター乗降口、  ７…使用状況表示器、  １１_1,１１_2,・・・，１１_i,・・・，１１_n…エレベーター（乗車号機）、  １２_1,１２_2,・・・，１２_i,・・・，１２_n…号機制御部
【図１】
2017178481.tif 000003
【図２】
2017178481.tif 000004
【図３】
2017178481.tif 000005
【図４】
2017178481.tif 000006
【図５】
2017178481.tif 000007